(57)【要約】【課題】キートップの側方への光の漏れを抑制可能なキースイッチ構造を提供すること。【解決手段】光をキートップ１１側へ出射するバックプレート１７上に、キートップ１１を押下可能に支持するリンク機構１８を支持する第１ホルダ１４ｂが取り付けられている。バックプレート１７から出射した光が第１ホルダ１４ｂに進入して、進入した光の一部が第１ホルダ１４ｂから第１ホルダ１４ｂの側方に出射されるが、第１ホルダ１４ｂとキートップ１１の外周部との間に遮光壁１６ｄが設けられているため、キートップ１１の側方への光の漏れを抑制できる。【選択図】図４
2015041590.tif 000002
【特許請求の範囲】
【請求項１】
光を透過させる光透過部が形成されたキートップと、
前記キートップを押下可能に支持するリンク機構と、
キートップ側に向けて光を出射するバックプレートと、
前記バックプレートに設けられ、前記リンク機構を支持する光透過性の材料から形成された支持部材と、
前記バックプレートの上に配置され、前記キートップの押下操作により導通する接点部を備えたメンブレンシートと、
前記接点部を導通させる押圧部を備え、前記キートップを前記接点から離間する方向に付勢する弾性部材と、
前記メンブレンシートに形成され、前記支持部材をキートップ側に露出させる孔と、
前記メンブレンシートから立ち上がり、前記キートップの外周部と前記支持部材との間に配置された遮光性を有する遮光壁と、
を有するキースイッチ構造。
【請求項２】
前記遮光壁には、支持部材側、または支持部材側とは反対側の少なくとも一方の面に、光の透過を阻止する遮光層が付与されている、請求項１に記載のキースイッチ構造。
【請求項３】
前記遮光層は、光の透過を阻止するインクで印刷されている、請求項２に記載のキースイッチ構造。
【請求項４】
前記遮光壁には、支持部材側の面に前記支持部材から出射された光を反射する反射層が設けられている、請求項１〜請求項３の何れか１項に記載のキースイッチ構造。
【請求項５】
前記反射層は、光の反射するインクで印刷されている、請求項４に記載のキースイッチ構造。
【請求項６】
前記遮光壁は、前記メンブレンシートの一部が塑性変形されて形成されている、請求項１〜請求項５の何れか１項に記載のキースイッチ構造。
【請求項７】
前記遮光壁は、前記メンブレンシートの一部が切り起こされて形成されている、請求項１〜請求項５の何れか１項に記載のキースイッチ構造。
【請求項８】
前記支持部材には、前記遮光壁に接触して前記遮光壁の支持部材側の倒れ込みを防止する突起が形成されている、請求項１〜請求項７の何れか１項に記載のキースイッチ構造。
【請求項９】
前記支持部材は、複数設けられ、
前記遮光壁は、前記キートップの外周部に最も近い前記支持部材と前記キートップの外周部との間に設けられている、請求項１〜請求項８の何れか１項に記載のキースイッチ構造。
【発明の詳細な説明】
【技術分野】
【０００１】
本発明はキースイッチ構造に関し、情報処理機器、測定機器、医療機器、パーソナルコンピュータ等などのキーボードに用いられるキースイッチ構造に関する。
【背景技術】
【０００２】
従来のキーボードにおいて、キートップの文字等を光らせるために、キートップの下側に配置されるバックプレートからキートップの裏側に光を照射し、キースイッチの文字、記号等を光らせるキースイッチ構造が知られている（例えば、特許文献１、２参照）。
この種のキースイッチ構造では、キートップを押圧可能に支持するリンク機構を備え、このリンク機構はバックプレートに設けた光を透過させる材料からなる支持部材に支持されている。
【先行技術文献】
【特許文献】
【０００３】
【特許文献１】特開２００８−２３５０６５号公報
【特許文献２】特開２０１１−１８４８４号公報
【発明の概要】
【発明が解決しようとする課題】
【０００４】
ところで、支持部材が光を透過させる材料から形成されているため、支持部材に進入した光は、キートップ側のみならず、支持部材の側方へも出射する。
このため、キートップの側方に位置する部材が、支持部材の側方へ出射された光で照らされて光って見えることがある。
特許文献２のキースイッチ構造では、キートップを覆うようにシート状部材を設け、シート状部材をキートップの外周から突出させて、シート状部材をキートップの外周を囲むように配置された枠状のフレームに接触させて照射光の漏れを防止している。このため、特許文献２のキースイッチ構造では、部品点数が多く、構造が複雑となっている。
【０００５】
本発明は上記事実を考慮し、少ない部品点数でキートップの側方への光の漏れを抑制可能なキースイッチ構造を提供することが目的である。
【課題を解決するための手段】
【０００６】
請求項１に記載のキースイッチ構造は、光を透過させる光透過部が形成されたキートップと、前記キートップを押下可能に支持するリンク機構と、キートップ側に向けて光を出射するバックプレートと、前記バックプレートに設けられ、前記リンク機構を支持する光透過性の材料から形成された支持部材と、前記バックプレートの上に配置され、前記キートップの押下操作により導通する接点部を備えたメンブレンシートと、前記接点部を導通させる押圧部を備え、前記キートップを前記接点から離間する方向に付勢する弾性部材と、前記メンブレンシートに形成され、前記支持部材をキートップ側に露出させる孔と、前記メンブレンシートから立ち上がり、前記キートップの外周部と前記支持部材との間に配置された遮光性を有する遮光壁と、を有する。
【０００７】
次に、請求項１に記載のキースイッチ構造の作用を説明する。
請求項１に記載のキースイッチ構造では、弾性部材の付勢力と対抗するようにキートップを押下すると、弾性部材が圧縮されて押圧部が接点部を導通させる。
バックプレートか出射された光は、メンブレンシートの孔を介してキートップ側に出射され、キートップの裏面に照射される。そして、キートップの光透過部を透過した光がキートップ外側へ出射される。請求項１に記載のキースイッチ構造では、このようにしてキートップの光透過部を光らせることができる。
【０００８】
バックプレートから出射された光は、光透過性の材料から形成された支持部材を介してキートップ側へ出射されるが、支持部材の側方へも出射される。しかしながら、シート部材には、キートップの外周部と支持部材との間に遮光性を有する遮光壁が設けられているため、支持部材から支持部材の側方へ出射される光は遮光壁によって遮られ、キートップの側方へ漏れることを阻止することができる。
【０００９】
請求項２に記載の発明は、請求項１に記載のキースイッチ構造において、前記遮光壁には、支持部材側、または支持部材側とは反対側の少なくとも一方の面に、光の透過を阻止する遮光層が付与されている。
【００１０】
請求項２に記載のキースイッチ構造では、遮光壁の支持部材側、または支持部材側とは反対側の少なくとも一方の面に付与された遮光層によって、光の透過が遮断される。
【００１１】
請求項３に記載の発明は、請求項２に記載のキースイッチ構造において、前記遮光層は、光の透過を阻止するインクで印刷されている。
【００１２】
請求項３に記載のキースイッチ構造では、遮光壁に印刷されたインクによって光の透過が阻止される。遮光層を印刷によって簡単に形成できる。
【００１３】
請求項４に記載の発明は、請求項１〜請求項３の何れか１項に記載のキースイッチ構造において、前記遮光壁には、支持部材側の面に前記支持部材から出射された光を反射する反射層が設けられている。
【００１４】
請求項４に記載のキースイッチ構造では、支持部材から出射された光を、遮光壁の反射層で支持部材側へ反射する、即ち、キートップの内側へ反射することが出来る。これにより、キートップ内側の光量を増すことができ、光透過部をより強く光らせることが出来る。
【００１５】
請求項５に記載の発明は、請求項４に記載のキースイッチ構造において、前記反射層は、光の反射するインクで印刷されている。
【００１６】
請求項５に記載のキースイッチ構造では、遮光壁に印刷されたインクによって光が反射される。反射層を印刷によって簡単に形成できる。
【００１７】
請求項６に記載の発明は、請求項１〜請求項５の何れか１項に記載のキースイッチ構造において、前記遮光壁は、前記メンブレンシートの一部が塑性変形されて形成されている。
【００１８】
請求項６に記載のキースイッチ構造では、遮光壁が、メンブレンシートの一部を塑性変形することで形成しているので、プレス等によって遮光壁を容易に形成することが出来る。
【００１９】
請求項７に記載の発明は、請求項１〜請求項５の何れか１項に記載のキースイッチ構造において、前記遮光壁は、前記メンブレンシートの一部が切り起こされて形成されている。
【００２０】
請求項７に記載のキースイッチ構造では、遮光壁が、メンブレンシートの一部を切り起こすことで形成しているので、遮光壁を容易に形成することが出来る。
【００２１】
請求項８に記載の発明は、請求項１〜請求項７の何れか１項に記載のキースイッチ構造において、前記支持部材には、前記遮光壁に接触して前記遮光壁の支持部材側の倒れ込みを防止する突起が形成されている。
【００２２】
請求項８に記載のキースイッチ構造では、支持部材に形成された突起が遮光壁に接触するので、遮光壁の支持部材側の倒れ込みを防止できる。
【００２３】
請求項９に記載のキースイッチ構造では、請求項１〜請求項８の何れか１項に記載のキースイッチ構造において、前記支持部材は、複数設けられ、前記遮光壁は、前記キートップの外周部に最も近い前記支持部材と前記キートップの外周部との間に設けられている。
【００２４】
支持部材からキートップの外周部までの距離が短いと、支持部材から出射した光がキートップ外側へ漏れ易く、支持部材からキートップの外周部までの距離が長いと、支持部材から出射した光がキートップ外側へ漏れ難い。さらに、支持部材とキートップの外周部との間に光を減衰させるリンク機構が介在すると支持部材から出射した光がキートップ外側へ漏れ難くなる。
したがって、支持部材から出射した光がキートップの外周部に至るまでに十分に減衰する場合には遮光壁を設けず、遮光壁はキートップの外周部に最も近い支持部材とキートップの外周部との間に設ければ良い。
【発明の効果】
【００２５】
本発明のキースイッチ構造は上記構成としたので、部品点数を増やさずにキートップの側方への光の漏れを抑制できる、という優れた効果を有する。
【図面の簡単な説明】
【００２６】
【図１】本発明の第１の実施形態に係るキースイッチ構造を示すキートップを取り除いた平面図である。
【図２】第１の実施形態に係るキースイッチ構造を示す縦断面図である。
【図３】（Ａ）〜（Ｃ）は、反射部の配置の一例を示す平面図である。
【図４】第１の実施形態に係るキースイッチ構造を示す分解斜視図である。
【図５】バックプレート、メンブレンシート、第１ホルダ、及び第２ホルダを示す平面図である。
【図６】図５に示すバックプレート、メンブレンシート、第１ホルダ、及び第２ホルダを矢印Ａ方向から見た側面図である。
【図７】図５に示すバックプレート、メンブレンシート、第１ホルダ、及び第２ホルダを矢印Ｂ方向から見た側面図である。
【図８】図５に示す遮光壁の縦断面図（図５の８−８線断面図）である。
【図９】（Ａ）は第３の実施形態に係るキースイッチ構造の上部シートの一部を示す平面図であり、（Ｂ）はスペーサシートの一部を示す平面図であり、（Ｃ）は下部シートの一部を示す平面図である。
【図１０】第３の実施形態に係るキースイッチ構造のメンブレンシートを示す平面図である。
【図１１】第３の実施形態に係るキースイッチ構造のバックプレート、メンブレンシート、第１ホルダ、及び第２ホルダを示す平面図である。
【図１２】図１１に示すバックプレート、メンブレンシート、第１ホルダ、及び第２ホルダを矢印Ａ方向から見た側面図である。
【図１３】図１１に示すバックプレート、メンブレンシート、第１ホルダ、及び第２ホルダを矢印Ｂ方向から見た側面図である。
【発明を実施するための形態】
【００２７】
［第１の実施形態］
以下、図面を参照して本発明によるキースイッチ構造１０の第１の実施形態について説明する。
図１、及び図２に示すように、本実施の形態のキースイッチ構造は、キートップ１１、キートップ１１を支持する第１リンク部材１２と第２リンク部材１３とを含んで構成されるリンク機構１８、弾性部材としてのラバードーム１５、メンブレンシート１６、バックプレート１７、リンク機構１８をバックプレート１７に支持する一対の第１ホルダ１４ｂ、及び第２ホルダ１４ａからなるホルダ１４等を含んで構成されている。
【００２８】
バックプレート１７は、透明等の光の透過性の高い材料（合成樹脂等）で形成された板材である。バックプレート１７の一側面に対向してＬＥＤ８が設けられている。ＬＥＤ８から出射した光は、図８に示すように、バックプレート１７の内部を屈曲しながら通過し、キートップ１１の直下に形成された複数の反射部１７ｃで反射してキートップ側へ出射する（図４、及び図８の矢印参照）。
なお、反射部１７ｃは、例えば、図３（Ａ）〜（Ｃ）に示すように、白色インクで印刷された丸形状のドットであるが、バックプレート１７の一部を凹状に加工したものであっても良い。また、反射部１７ｃは、少なくともキートップ１１に形成された後述する文字、記号等の光透過部２３の下方に形成されていれば良く、反射部１７ｃの数、及び配置は、光透過部２３の形状、サイズ等によって適宜変更されるものである。
【００２９】
図２、及び図４に示すように、バックプレート１７には、キートップ１１と対向する位置に、リンク機構１８を支持する一対の第１ホルダ１４ｂ、及び第２ホルダ１４ａが配置されている。第１ホルダ１４ｂ及び第２ホルダ１４ａは、透明、半透明または乳白色等の光の透過性の高い合成樹脂等の材料で形成されている。
図６〜図７に示すように、第１ホルダ１４ｂの下端面（バックプレート１７側の端面）には、固定ピン１４ｅが設けられており、この固定ピン１４ｅがバックプレート１７に形成された取付孔１７ｂに挿入されている。取付孔１７ｂの下面側の周囲には凹部（座グリ）１７ａが形成されおり、固定ピン１４ｅの先端を加熱により凹部１７ａ内で扁平に変形させることで、第１ホルダ１４ｂをバックプレート１７に固定している。また、インサート成形でも第１ホルダ１４ｂをバックプレート１７に固定可能である。
また、第２ホルダ１４ａのバックプレート１７側の下端面にも、固定ピン１４ｅが設けられており、この固定ピン１４ｅもバックプレート１７に形成された取付孔１７ｂに挿入されており、固定ピン１４ｅの先端を加熱により凹部１７ａ内で扁平に変形させることで、第２ホルダ１４ａをバックプレート１７に固定している。また、インサート成形でも第２ホルダ１４ａをバックプレート１７に固定可能である。
【００３０】
（メンブレンシート）
図５、及び図６に示すように、メンブレンシート１６は、配線パターン２１が印刷された２枚のシート、すなわち上部シート１６ａと下部シート１６ｃとの間にスペーサシート１６ｂが挟まれており、これらが互いに貼合された構成とされている。各シートは光を透過する柔軟な合成樹脂素材で形成されている。メンブレンシート１６は、下部シート１６ｃがバックプレート１７の上に配置されている。
【００３１】
図５に示すように、メンブレンシート１６は、キートップ１１の中央部の直下に接点部１６ｅを備えている。接点部１６ｅは、メンブレンシート１６のスペーサシート１６ｂを挟んで貼合された上部シート１６ａと下部シート１６ｃの、対向するそれぞれの箇所に電気接点が配置されており、メンブレンシート１６の接点部１６ｅが厚さ方向に押圧されると、上部シート１６ａの電気接点と下部シート１６ｃの電気接点とが接触して電気的に接続が行われ、スイッチとしては閉成状態となる。
【００３２】
キートップ１１の押下を解除すると、各構成部品はラバードーム１５とメンブレンシート１６との復元力（弾性）によって元の状態に戻り、上部シート１６ａの電気接点と下部シート１６ｃの電気接点とが離間して電気的接触が絶たれるため、スイッチとしては開放状態となる。
【００３３】
図４〜図６に示すように、第１ホルダ１４ｂ、第２ホルダ１４ａの位置に合わせてメンブレンシート１６に設けられた孔１９、２０から、それぞれ第１ホルダ１４ｂ、第２ホルダ１４ａが突出している。
図１に示すように、キートップ１１を平面視した際に、これらの孔１９、２０は、キートップ１１の外周縁（外周部）よりも内側に形成されている。
これらの孔１９、２０は、打ち抜き加工によって形成することが出来る。
【００３４】
図４、及び図５に示すように、メンブレンシート１６の上部シート１６ａには、ラバードーム１５が接点部１６ｅの上側に接着剤などで固定されている。図２に示すように、ラバードーム１５はゴム等を素材として略カップ状に形成され、内面の中央部には接点押下部１５ａがメンブレンシート１６に向けて突出形成されている。なお、本実施形態のラバードーム１５は、光が透過するように半透明となっている。
【００３５】
図４、及び図５に示すように、上部シート１６ａの孔１９と孔１９の間、及び孔１９と孔２０との間は、電気接点と接続される配線パターン２１の形成された配線部２２とされ、この配線部２２以外の表面（キースイッチ側の上面）全体に光に透過を阻止する遮光層２４（網線部分）が形成されている。本実施形態の遮光層２４は、黒インクのベタの印刷により形成されている。
即ち、本実施形態では、孔１９、孔２０、及び配線部２２が、バックプレート１７から出射した光をキートップ１１側へ透過可能とする光透過部とされており、バックプレート１７から出射された光を、光透過部のみからキートップ１１の裏面に向けて照射することができる。
【００３６】
（遮光壁）
図４〜図８に示すように、本実施形態のメンブレンシート１６には、上部シート１６ａの孔１９の開口縁部分から立ち上がり、第１ホルダ１４ｂとキートップ１１の外周部との間に配置される遮光壁１６ｄが、第１ホルダ１４ｂのキートップ外周縁側を囲むように設けられている。図６及び図７に示すように、遮光壁１６ｄの上端は、第１ホルダ１４ｂの上端よりも高い位置にある。
【００３７】
本実施形態の遮光壁１６ｄは、上部シート１６ａの一部分を、例えば、プレス型を用いてプレス加工し、上部シート１６ａの一部分を引き延ばして塑性変形させることで形成することができる。なお、上部シート１６ａの材料が熱可塑性樹脂である場合、上部シート１６ａに熱を加えてプレスすることで遮光壁１６ｄを形成し易くなる。
なお、本実施形態の遮光壁１６ｄは、上部シート１６ａの一部分を塑性変形させて形成しているので、図４に示すように、遮光層２４は遮光壁１６ｄの外周面に設けられている。
【００３８】
本実施形態では、遮光壁１６ｄが第１ホルダ１４ｂ側に倒れ込まないように、図５〜図７に示すように、第１ホルダ１４ｂには遮光壁１６ｄの内面に接触するリブ１４ｃ、リブ１４ｄが形成されている。なお、第１ホルダ１４ｂの寸法、形状を変更して、第１ホルダ１４ｂの側面に遮光壁１６ｄを接触させ、遮光壁１６ｄの倒れを防止することもできる。
【００３９】
キートップ１１が押下されることにより、キートップ１１は、後述するリンク機構１８の作用によってメンブレンシート１６（バックプレート１７）に向けて平行を保ちながら移動してラバードーム１５が圧縮変形すると共に、内部に形成されている接点押下部１５ａがメンブレンシート１６の接点部１６ｅに当接してこれを押圧し、スイッチとして閉成状態となる。
【００４０】
キートップ１１の押下を解除すると、各構成部品はラバードーム１５とメンブレンシート１６との復元力（弾性）によって元の状態に戻り、メンブレンシート１６の接点部１６ｅが接触を失い、電気的接触が絶たれるためスイッチは開放状態となる。
【００４１】
（キートップ）
図１、及び図４に示すように、キートップ１１の裏側（バックプレート１７に対向する側）には、第１リンク部材１２の他端側に設けられた摺動ピン１２ａを回転可能にかつ水平方向（キートップ１１の裏面に沿った方向）に平行移動（運動）可能に支持する摺動ピン支持部１１ａと、第２リンク部材１３の一端側に設けられた回転ピン１３ａを回転可能に支持する回転支持部１１ｂとが設けられている。
【００４２】
キートップ１１は、透明または半透明の合成樹脂により形成されている。キートップ１１の表面には、光の透過を抑えるために調整された単色または多色の塗装が施されており、塗装の一部をレーザーマーキングなどで文字や記号の形に取り除くことにより、図４に示すような抜き文字（あるいは抜き記号）である光透過部２３が形成されている。なお、この光透過部２３は、キートップ１１の表面に通常記されている文字、記号、数値等をすべて含むものである。
【００４３】
（リンク機構）
図１、図２、及び図４に示すように、中央にラバードーム１５が貫通するように枠形状とされた第２リンク部材１３には、対向する２辺１３ｄの中央付近に外側へ突出したリンク回転軸１３ｃが設けられ、対向する２辺１３ｄの他端側を連結するように摺動ピン１３ｂが設けられている。
【００４４】
第２リンク部材１３の摺動ピン１３ｂは，バックプレート１７の第１ホルダ１４ａに回転可能かつ水平方向（バックプレート１７の表面に沿った方向）に平行移動可能に挿入されて保持されており、第１リンク部材１２の一端側に設けられた回転ピン１２ｂはバックプレート１７の第２ホルダ１４ｂに回転可能に保持されている。
【００４５】
図３に示すように、第２リンク部材１３と第１リンク部材１２とは、第１リンク部材１２の内側に第２リンク部材１３が嵌り込む入れ子構造となっており、これら第２リンク部材１３と第１リンク部材１２とでパンタグラフ方式のリンク機構１８が構成されている。
図１乃至図３に示すように、第２リンク部材１３のリンク回転軸１３ｃは、第１リンク部材１２の枠内周面側に設けられた軸穴１２ｃに嵌り込み、リンク回転軸１３ｃを軸として第１リンク部材１２と第２リンク部材１３とが互いに回転可能に組み合わされている。
【００４６】
これによりキートップ１１が押下された際、回転可能に支持された回転ピン１３ａ、及び回転ピン１２ｂはキートップ１１およびバックプレート１７に対する位置は変わらず、その場所で回転するのみであるのに対して、摺動ピン１３ｂ、及び摺動ピン１２ａはキートップ１１が押下されるにしたがってバックプレート１７上およびキートップ１１裏側を摺動する。
【００４７】
なお、第１リンク部材１２、及び第２リンク部材１３は、共に光を透過する透明、または半透明（乳白色等）の合成樹脂で形成されている。
【００４８】
(作用）
本実施形態のキースイッチ構造１０では、キートップ１１を押下すると、キートップ１１は、リンク機構１８の作用によってメンブレンシート１６（バックプレート１７）に向けて平行を保ちながら移動してラバードーム１５を圧縮変形させ、接点押下部１５ａがメンブレンシート１６の接点部１６ｅを押圧してスイッチとして閉成状態となる。
【００４９】
また、キートップ１１から手を離すと、キートップ１１は、ラバードーム１５及びリンク機構１８の作用によってメンブレンシート１６（バックプレート１７）から離れる方向に平行を保ちながら移動して元の高さまで復帰し、接点押下部１５ａがメンブレンシート１６の接点部１６ｅから離間してスイッチとしては開放状態となる（図２参照）。
【００５０】
ＬＥＤ８が点灯すると、ＬＥＤ８から出射した光がバックプレート１７の内部を屈曲しながら通過し、キートップ１１の直下に形成された反射部１７ｃで反射してキートップ側へ出射する。バックプレート１７からキートップ１１側へ出射した光は、孔１９、孔２０を通過する共に、配線部２２、第１ホルダ１４ｂ、第２ホルダ１４ａ、第１リンク部材１２、第２リンク部材１３、及びラバードーム１５を透過してキートップ１１の裏面に至り、キートップ１１を透過して文字、記号等の光透過部２３からキートップ上方へ出射する。これによって、キートップ１１の文字、記号等の光透過部２３を光らせることができる。
【００５１】
ところで、バックプレート１７からキートップ１１側へ出射された光が第１ホルダ１４ｂに進入すると、第１ホルダ１４ｂに進入した光の一部は、図４の矢印Ｕで示すように、そのままキートップ１１側へ出射されるが、進入した光の他の一部は矢印Ｓで示すように、第１ホルダ１４ｂの側方へ出射する。
しかしながら、第１ホルダ１４ｂのキートップ１１外周縁側の側方には、遮光壁１６ｄが配置されているので、第１ホルダ１４ｂの側方へ出射した光は、遮光壁１６ｄの遮光層２４で遮られ、遮光壁１６ｄの側方外側へ漏れ出ない。このため、遮光壁１６ｄの側方外側、即ち、キートップ１１の外周縁よりも外側の部材（メンブレンシート１６の表面、隣接するキートップ１１）がバックプレート１７から出射された光で照射されて光ることは無い。
【００５２】
なお、本実施形態では、図４に示すように、第２ホルダ１４ａからも第２ホルダ１４ａの側方へ光が出射（矢印Ｓ）されるが、図１に示すように、第２ホルダ１４ａは第１リンク部材１２、及び第２リンク部材１３で囲まれていると共に、キートップ１１の外周縁から離れているため、キートップ１１の外周縁よりも側方外側に漏れる光の量は極めて少なく、キートップ１１の外周縁よりも外側の部材（メンブレンシート１６の表面、隣接するキートップ１１等）が光って見えることは無い。このため、本実施形態では、第２ホルダ１４ａの側方外側に遮光壁１６ｄを設けていない。なお、キートップ１１の外周縁よりも外側の部材が光って見える場合には、遮光壁１６ｄを設けても良いのは勿論である。
【００５３】
また、本実施形態のキースイッチ構造１０によれば、第１ホルダ１４ｂの側方へ出射した光を遮光壁１６ｄで遮ることができるので、ＬＥＤ８からの出射光量を増してもキートップ１１の外周縁よりも外側の部材が光って見えることは無い。したがって、ＬＥＤ８からの出射光量を増すことで、文字、記号等の光透過部２３をより明るく光らせることが出来る。
【００５４】
本実施形態のキースイッチ構造１０によれば、メンブレンシート１６の一部で遮光壁１６ｄを形成しているので、部品点数を増加させず、簡単な構成でキートップ１１の側方への光の漏れを抑えることが出来る。
本実施形態では、遮光層２４が黒色であったが、遮光層２４は黒色に限らず、光を透過させなければ黒色以外の色であっても良い。
また、本実施形態の遮光層２４は、インクをベタで印刷することで形成したが、インク以外の塗料等を塗布して形成することもできる。
本実施形態では、遮光壁１６ｄの外面に遮光層２４が設けられているが、本発明はこれに限らず、遮光壁１６ｄのリンク機構側の内面に遮光層２４を設けても良い。
【００５５】
［第２の実施形態］
次に、本発明の第２の実施形態に係るキースイッチ構造１０を以下に説明する。なお、第１の実施形態と同一構成には同一符号を付し、その説明は省略する。
本実施形態のキースイッチ構造１０では、図８の２点鎖線で示すように、遮光壁１６ｄの内面に光を反射可能な反射層２５が設けられている。
反射層２５は、例えば、光を反射し易い白色、銀色等のインクをベタで印刷することで形成でき、塗料等を塗布して形成することもできる。
本実施形態のキースイッチ構造１０では、第１ホルダ１４ｂの側方へ出射した光が、遮光壁１６ｄの内面でキートップ１１の内側へ反射されるため、文字、記号等の光透過部２３へ入射させる光量を増やすことができ、光透過部２３を明るく光らせることが出来る。
また、反射層２５を、金属粉の分散された銀色のインクまたは塗料により形成する場合、金属粉が光を反射すると共に、光の透過を阻止可能であるため、この場合は、反射層２５が遮光層２４の機能を備えていることになる。したがって、この場合は、遮光層２４を省略することも可能である。
【００５６】
［第３の実施形態］
次に、本発明の第３の実施形態に係るキースイッチ構造１０を以下に説明する。なお、第１の実施形態と同一構成には同一符号を付し、その説明は省略する。
上記実施形態の遮光壁１６ｄは、メンブレンシート１６の上部シート１６ａの一部をプレス加工して形成したが、本実施形態の遮光壁１６ｄは、上部シート１６ａと下部シート１６ｃを折り曲げ加工して形成している。
図９（Ａ）〜（Ｃ）に示すように、本実施形態では、上部シート１６ａの孔１９の開口縁部に孔内側に突出する矩形状の突出部２６が形成されており、下部シート１６ｃの孔１９の開口縁部に孔内側に突出する矩形状の突出部２７が形成されており、スペーサシート１６ｂには、孔内側に突出する矩形状の突出部は形成されていない。
【００５７】
図９（Ａ）〜（Ｃ）に示す上部シート１６ａ、スペーサシート１６ｂ、及び下部シート１６ｃを図１０に示すように貼り合わせた後、上部シート１６ａの突出部２６を折り曲げ線Ｌ１でキートップ側へ折り曲げ、下部シート１６ｃの突出部２７を折り曲げ線Ｌ２でキートップ側（図１０の紙面表面側）へ折り曲げることで、図１１〜１３に示すような遮光壁１６ｄを形成することが出来る。
【００５８】
本実施形態の遮光壁１６ｄも、前述した実施形態と同様に、外面に遮光用の遮光層２４が形成され、内面に反射用の反射層２５（図示省略）が形成される。
本実施形態の遮光壁１６ｄは、上部シート１６ａ、及び下部シート１６ｃの一部分を折り曲げるだけで形成できるため、第１の実施形態のように上部シート１６ａの一部を引き延ばすように塑性変形させるよりも加工が容易となる。
なお、本実施形態の遮光壁１６ｄの遮光に関する作用効果は第１の実施形態と同様である。
【００５９】
本実施形態の遮光壁１６ｄは、孔１９の形成された上部シート１６ａ、及び下部シート１６ｃをスペーサシート１６ｂに貼り合わせた後、突出部２６、及び突出部２７を折り曲げることで形成することもでき、プレス加工時に、孔１９を形成すると同時に突出部２６、及び突出部２７を折り曲げ、突出部２６が折り曲げられた上部シート１６ａと、突出部２７が折り曲げられた下部シート１６ｃをスペーサシート１６ｂに貼り合わせることで形成することも出来る。
【００６０】
［その他の実施形態］
以上、本発明の実施例について記述したが、本発明は上記の実施例に何ら限定されるものではなく、本発明の要旨を逸脱しない範囲において種々なる態様で実施し得ることは言うまでもない。
【００６１】
上記実施形態では、遮光壁１６ｄ（上部シート１６ａ）に遮光用のインクで印刷をして遮光をしたが、光が透過し難い材料（黒色の合成樹脂等）で上部シート１６ａ、及び下部シート１６ｃを形成しても良い。
【００６２】
上記実施形態では、メンブレンシート１６の一部で遮光壁１６ｄを形成したが、メンブレンシート１６とは別の部材で形成した遮光壁１６ｄをメンブレンシート１６の表面に貼り付けても良い。
【符号の説明】
【００６３】
１０    キースイッチ構造
１１    キートップ
１４ａ  第２ホルダ
１４ｂ  第１ホルダ
１４ｃ  リブ（突起）
１４ｄ  リブ（突起）
１５    ラバードーム
１５ａ  接点押下部
１６    メンブレンシート
１６ｄ  遮光壁
１６ｅ  接点部
１７    バックプレート
１８    リンク機構
１９    孔
２０    孔
２３    光透過部
２４    遮光層
２５    反射層
【図１】
2015041590.tif 000003
【図２】
2015041590.tif 000004
【図３】
2015041590.tif 000005
【図４】
2015041590.tif 000006
【図５】
2015041590.tif 000007
【図６】
2015041590.tif 000008
【図７】
2015041590.tif 000009
【図８】
2015041590.tif 000010
【図９】
2015041590.tif 000011
【図１０】
2015041590.tif 000012
【図１１】
2015041590.tif 000013
【図１２】
2015041590.tif 000014
【図１３】
2015041590.tif 000015